(57)【要約】      （修正有）【課題】マドラーを内容物とは分離して付属させ簡易な構造の包装袋を提供する。【解決手段】再開閉自在ジッパー部とシール部４６，４７との間の空間にマドラー２０を収納する。内容物を収納した包装袋１０の上部に再開閉自在ジッパー部１１，１２を設け、該再開閉自在ジッパー部を閉じた状態でその上部にマドラーを置き、その上部を該マドラーを覆うシール部により封印する。内容物は、砕氷、粉状体、など。シール部には、端に切り込みを設ける。切り裂かれる部分は裂かれ易い部材からなる。ジッパー部を二重に設けて、それら二つの再開閉自在ジッパー部の間にマドラーを設けてもよい。上部構造をあらかじめ準備しておいて、包装袋の底面側から内容物を充填してもよい。底面部にマチを設けて、楕円形状の底面として、自立型の容器としてもよい。【選択図】図１
0003152169.tif 000002
【実用新案登録請求の範囲】
【請求項１】
開封後に需要者が繰り返し開閉して内容物を保存する再開閉自在ジッパー部と、需要者による開封までの間、密封状態を保つシール部とを有する包装袋にマドラーを付属させたマドラー付包装袋であって、
前記再開閉自在ジッパー部と前記シール部との間にマドラーを収納する空間であるマドラー部を設け、
該マドラー部にマドラーを収納させたマドラー付包装袋。
【請求項２】
請求項１に記載したマドラー付包装袋であって、
底面側を開放し、内容物を充填後、底面のシール部を密封することを特徴とするマドラー付包装袋。
【請求項３】
請求項１に記載したマドラー付包装袋であって、
前記マドラー部の中間に切り裂かれやすい部材からなる切り裂き部を設けたことを特徴とするマドラー付包装袋。
【請求項４】
請求項１に記載したマドラー付包装袋であって、
前記マドラー部の中間の一端に切り込みを設けたことを特徴とするマドラーつき包装袋。
【請求項５】
開封後に需要者が繰り返し開閉して内容物を保存する再開閉自在ジッパー部と、需要者による開封までの間、密封状態を保つシール部とを有する包装袋にマドラーを付属させたマドラー付包装袋であって、
前記再開閉自在ジッパー部を二重に設け、
該二重に設けた再開閉自在ジッパー部の中間にマドラーを収納する空間であるマドラー部を設け、
該マドラー部にマドラーを収納させたマドラー付包装袋。
【考案の詳細な説明】
【技術分野】
【０００１】
本考案は、包装袋、特にウイスキーなどのアルコール度数の高い酒類をオンザロックで飲むのに用いる砕氷を包装する袋にマドラーを付属させたマドラー付包装袋に関するものである。
【背景技術】
【０００２】
特許文献１は、マドラー付きシュガースチックを開示する。コーヒーあるいは紅茶に加えられた砂糖あるいはミルク等をかきまぜるためのマドラーを、筒状、棒状あるいは板状に形成し、これを上記飲み物のほぼ一杯分の砂糖とともに棒状の紙袋あるいはビニール袋に封入したシュガースチックである。
【０００３】
特許文献２は、マドラーの入った粉末用パッケージを開示する。開けると中からかき混ぜ棒（マドラー）が取り出せる各種粉末用の使い捨て容器である。
【先行技術文献】
【特許文献】
【０００４】
【特許文献１】実開昭６２−１４５５６０号公報
【特許文献２】登録実用第３０３４８２４号公報
【考案の概要】
【考案が解決しようとする課題】
【０００５】
上の二つの先行技術は、いずれもマドラーが内容物の中に埋没している。特許文献１では、マドラーの全体がすっかり砂糖の中に埋まっている。特許文献２では、マドラーの大半が内容物に埋まっており、手の部分だけが袋と一体となって接着されており、袋を開封すると容易にマドラーの手の部分を掴むことができるよう工夫されている。
【０００６】
本考案は、マドラーを内容物とは分離して付属させ、しかもできるだけ簡易な構造とする包装袋を提供することにある。
【課題を解決するための手段】
【０００７】
本考案は、再開閉自在ジッパー部とシール部との間の空間にマドラーを収納することを特徴とする。すなわち、本考案に係るマドラー付包装袋は、内容物を収納した包装袋の上部に再開閉自在ジッパー部を設け、該再開閉自在ジッパー部を閉じた状態でその上部にマドラーを置き、その上部を該マドラーを覆うシール部により封印したマドラー付包装袋である。前記内容物は、砕氷、粉状体、など袋に入れることが可能なものならばよい。シール部には、端に切り込みを設けるのが望ましい。また、切り裂かれる部分は裂かれ易い部材からなるのが望ましい。
【０００８】
上述の再開閉自在ジッパー部を二重に設けて、それら二つの再開閉自在ジッパー部の間にマドラーを設けることとしてもよい。また、上述のいずれの場合であっても、上部構造をあらかじめ準備しておいて、包装袋の底面側から内容物を充填することとしてもよい。さらにまた、底面部にマチを設けて、楕円形状の底面として、自立型の容器としてもよい。
【考案の効果】
【０００９】
本考案のマドラー付包装袋は、できるだけ簡易な構造によりマドラーを付属させ、しかもそのマドラーが内容物に埋没せず、開封までの間、清潔を保つことができるという利点がある。
更に、再開閉自在ジッパー部を二重に設ける構成では、いったん開封した後も、マドラーをその包装袋に付属させることが可能である。
【図面の簡単な説明】
【００１０】
【図１】マドラー付包装袋の正面図である。（実施例１）
【図２】マドラー付包装袋の背面図である。（実施例１）
【図３】マドラー付包装袋の平面図である。（実施例１）
【図４】マドラー付包装袋の底面図である。（実施例１）
【図５】マドラー付包装袋の右側面図である。（実施例１）
【図６】マドラー付包装袋の左側面図である。（実施例１）
【図７】マドラー付包装袋のＡ−Ａ断面図である。（実施例１）
【図８】マドラー付包装袋のＡ−Ａ断面図のマドラー部拡大図である。（実施例１）
【図９】マドラー付包装袋に砕氷を入れた状態の斜視図である。（実施例１）
【図１０】マドラー付包装袋のマドラーを取り出した状態を示す図である。（実施例１）
【図１１】ジッパー部を二重に設けたマドラー付包装袋の正面図である。（実施例２）
【図１２】ジッパー部を二重に設けたマドラー付包装袋の背面図である。（実施例２）
【図１３】ジッパー部を二重に設けたマドラー付包装袋のＢ−Ｂ断面図のマドラー部拡大図である。（実施例２）
【図１４】ジッパー部を二重に設けたマドラー付包装袋の開封した状態を示す図である。（実施例２）
【考案を実施するための形態】
【００１１】
砕氷や粉状体の容器の口の部分の、再開閉自在のジッパー部とシール部との間、または二重に設けた再開閉自在のジッパー部の間にマドラーを収納する。
【実施例１】
【００１２】
以下、図１から図１０までを参照しつつ、実施例１について説明する。
【００１３】
図１は、マドラー付包装袋の正面図である。図１では、内容物を何も入れていない状態を示している。ジッパー部１１，１２は、再開閉が何度でも自在に可能なものであり、たとえば雄型チャックと雌型チャックとが嵌め合わされて閉じ、引き離すと離れて開くものが、知られておりそれを用いることができる。図１では、ジッパー部１１とジッパー部１２とは、離れているように見えるが、マドラーの両端を置く際の目標を強調して描いたものであり、実際はつながっている。ジッパー部１１と１２とを閉じることで内容物をこぼさない構造となっている。シール部４６は、密封されている。
【００１４】
シール部４６とジッパー部１１，２１との間の空間にマドラー部２１が設けられている。マドラー部２１は、マドラー２０を収納する部分である。マドラー２０は、図１では、先がさじの形状をした手の長いものであり、マドラー付包装袋１０の幅いっぱいの長さのものとしている。マドラー２０の形状は、他の形状でもかまわない。たとえば棒の先に球状のものがついたものであってもよい。
【００１５】
マドラー部２１の上部には、切り裂き部３９が設けられている。切り裂き部３９は、たとえばミシン目が施されており、需要者が手で裂くことにより開封することが可能になっている。ミシン目を施す以外に、その部分を弱い部材で構成することで横方向に裂けやすくするのでもかまわない。切り裂き部３９の左右の両端又は一端に切り込み３７（，３８）を入れておくことで、開封がしやすくなる。この開封がなされるまでは、マドラー２０は、密封状態にあり、清潔が保たれる。
【００１６】
シール部４７は、底面側のシール部であり、内容物を入れる前は開放されている。砕氷などの内容物が充填された直後、シール部４７が密封される。シール部４７に楕円形状のマチを設けることで、自立型の袋とすることも可能である。
【００１７】
図２は、マドラー付包装袋の背面図である。内容物を充填する前の包装袋の裏側が見えている。また、マドラー２０の裏側が見えている。マドラー２０は、先が小さいほうが先端部であり、大きい側が手の側である。
【００１８】
図３は、マドラー付包装袋の平面図であり、図４は、マドラー付包装袋の底面図である。図５は、マドラー付包装袋の右側面図であり、図６は、マドラー付包装袋の左側面図である。内容物を入れていない状態であるので、図３から図６までは、直線に近い形をしている。
【００１９】
図７は、図１におけるＡ−Ａ断面図を示したものであり、マドラー２０の部分が膨れて見える。図８は、Ａ−Ａ断面図のマドラー部２１を拡大した拡大図である。マドラー部２１は、需要者が開封するまでは、密封された空間であり好ましくは滅菌処理がなされた状態でマドラー２０が保存され、開封直後そのままの状態で使用可能な状態にある。
【００２０】
図９は、マドラー付包装袋に砕氷を入れた状態の斜視図である。底面側のシール部４７を密封する際に楕円形状のマチをつけて自立タイプの包装袋としている。
【００２１】
図１０は、マドラー付包装袋のマドラーを取り出した状態を示す図である。マドラー付包装袋１０の上部のシール部４６を、切り裂き部３９を裂くことにより開封してマドラー２０を取り出している。
【実施例２】
【００２２】
次に、図１１から図１４までを参照しつつ、ジッパー部を二重に設けたマドラー付包装袋（実施例２）について説明する。
【００２３】
図１１は、ジッパー部を二重に設けたマドラー付包装袋７０の正面図である。実施例２では、ジッパー部は、５１（５２）と５３（５４）と二重に設けられ、これら二重に設けられたジッパー部の中間をマドラー部６１とし、その空間にマドラー２０を収納する。これにより開封後も需要者は、これら二つのジッパー部の間にマドラー２０を収納し続けることができる。すなわち、ジッパー部を二重に設けたマドラー付包装袋７０を開封後、一度に使い切らない場合には、ジッパー部５１，５２を閉じて、その上にマドラー２０を置き、その後ジッパー部５３、５４を閉じる。
【００２４】
図１１で、シール部４６，４７、切り裂き部３９、切り込み３７，３８、マドラー２０は、実施例と同一であるので、同一の符号を用いた。
【００２５】
図１２は、ジッパー部を二重に設けたマドラー付包装袋の背面図である。図１３は、ジッパー部を二重に設けたマドラー付包装袋のＢ−Ｂ断面図のマドラー部拡大図である。Ｂ−Ｂの位置は図１１に書き込まれている。ジッパー部５１（５２）、５３（５４）は、雄型チャックと雌型チャックとが嵌め合わされるものを用いている。ジッパー部５１と５２、５３と５４とは、それぞれ連続させて切れ目なく設けることができるのは、実施例１と同様である。切り裂き部３９は、切り裂くことにより開封が実現できる位置に設けられている。
【００２６】
図１４は、ジッパー部を二重に設けたマドラー付包装袋の開封した状態を示す図である。需要者が開封した状態では、マドラーはすぐには取り出せない。したがって、開封時に誤ってマドラー２０を落下させて汚してしまう危険を回避できる。開封後ジッパー部５３，５４を開けることでマドラー２０を取り出せる。マドラー２０を取り出してからジッパー部５１，５２を開けることで内容物を取り出せる。
【００２７】
この包装袋を利用して、内容物を充填して封印する作業は、底面部のシール部４７側からすることが便利であるのは、実施例１と同様である。
【産業上の利用可能性】
【００２８】
砕氷、かち割り氷などの氷の包装袋として用いることができる。また、コーヒー、ココア、砂糖、などの粉状体を包装する包装袋としても用いることが可能である。特に、一度で使い切らずに何度も開閉して用いる包装袋であって、マドラーをそのつど用いる性質の内容物を保存する包装袋に適している。
【符号の説明】
【００２９】
１０，７０  マドラー付包装袋
１１，１２，５１，５２，５３，５４  再開閉自在ジッパー部
２０  マドラー
２１，６１  マドラー部
３７，３８  切り込み
３９  切り裂き部
４６，４７  シール部
【図１】
0003152169.tif 000003
【図２】
0003152169.tif 000004
【図３】
0003152169.tif 000005
【図４】
0003152169.tif 000006
【図５】
0003152169.tif 000007
【図６】
0003152169.tif 000008
【図７】
0003152169.tif 000009
【図８】
0003152169.tif 000010
【図９】
0003152169.tif 000011
【図１０】
0003152169.tif 000012
【図１１】
0003152169.tif 000013
【図１２】
0003152169.tif 000014
【図１３】
0003152169.tif 000015
【図１４】
0003152169.tif 000016